(57)【特許請求の範囲】
【請求項１】
被測定物質を含む検体を加熱して気化し、前記被測定物質を測定する質量分析に、前記検体に添加して用いられる内部標準物質であって、前記被測定物質が臭素化難燃剤であり、かつ、前記内部標準物質が1,6-ヘキサンジオールビス〔3-(3,5-ジ-t-ブチル-4-ヒドロキシフェニル)プロピオネート〕を有することを特徴とする前記内部標準物質。
【請求項２】
前記被測定物質は、デカブロモジフェニルエーテルおよびデカブロモビフェニルの群から選ばれる少なくともひとつの物質であることを特徴とする請求項１に記載の内部標準物質。
【請求項３】
被測定物質を含む検体を加熱して気化し、前記被測定物質を測定する質量分析に用いられる内部標準物質が、母材である樹脂に含有されて構成される、前記検体に添加される内部標準樹脂であって、前記被測定物質が臭素化難燃剤であり、かつ、前記内部標準物質が1,6-ヘキサンジオールビス〔3-(3,5-ジ-t-ブチル-4-ヒドロキシフェニル)プロピオネート〕を有することを特徴とする内部標準樹脂。
【請求項４】
前記被測定物質は、デカブロモジフェニルエーテルおよびデカブロモビフェニルの群から選ばれる少なくともひとつであることを特徴とする請求項３に記載の内部標準樹脂。
【請求項５】
前記母材に対する前記内部標準物質の含有率は、重量比で、０．１〜５％であることを特徴とする請求項３または４に記載の内部標準樹脂。
【請求項６】
前記検体は樹脂であることを特徴とする請求項３乃至請求項５の何れか１項に記載の内部標準樹脂。
【請求項７】
被測定物質を含む検体を加熱して気化し、前記被測定物質を測定する質量分析方法であって、請求項１または２に記載された内部標準物質を用いることを特徴とする、前記質量分析方法。
【請求項８】
前記内部標準物質は、母材である樹脂に含有されていることを特徴とする請求項７に記載の質量分析方法。
【請求項９】
前記母材に対する前記内部標準物質の含有率は、重量比で、０．１〜５％であることを特徴とする請求項８に記載の質量分析方法。
【請求項１０】
前記検体に対する前記内部標準物質を含む前記母材の重量比は、１０〜７５％であることを特徴とする請求項８または９に記載の質量分析方法。
【請求項１１】
前記検体を加熱して気化する方法は、直接導入プローブ法または直接曝露プローブ法であることを特徴とする請求項７乃至請求項１０の何れか１項に記載の質量分析方法。
【発明の詳細な説明】
【技術分野】
【０００１】
本発明は、質量分析を用いて樹脂に含まれる臭素化難燃剤の定量に用いられる内部標準物質とそれを用いた質量分析方法、及び内部標準樹脂に関する。
【背景技術】
【０００２】
近年、ヨーロッパ連合 EUが定めたRoHS（Restriction  of  Hazardous  Substances）規制により、 EU域内へ輸出を行う場合、製品に使用されている樹脂に含まれる臭素化難燃剤が、規定値以上含有されていないことを証明する必要が生じている。
【０００３】
そのため、規制の対象物質である臭素化難燃剤を正確に定量することへの社会的な要求が高まってきている。
【０００４】
このような社会背景の中、検体を加熱して気化する質量分析において、内部標準物質を被測定物質に添加して測定し、その内部標準物質との比較で定量的な測定を行う質量分析が行われてきた。非特許文献１には、ＩＡＭＳ(Ion Attachment Mas Spectrometry)を用いてRoHS難燃剤の定量分析を行うことが開示されている。
【非特許文献１】http://www.canon-anelva.co.jp/iams/newproducts
【発明の開示】
【発明が解決しようとする課題】
【０００５】
上述の状況のもと、臭素化難燃剤のような被測定物質に対して加熱して気化させて質量分析を行う場合、検体に添加する内部標準物質が熱分解することなく、毒性もなく、さらに被測定物質と内部標準物質との質量数が近いことなどの条件を満たすことが求められる。しかし、これらの条件を満たし、かつ、被測定物質を正確に定量できる内部標準物質は今まで確認されていなかった。
【０００６】
ここで検体とは、質量分析装置の測定にかけられる状態に準備された被測定物質等からなる物質をいう。
【０００７】
本発明の目的は上記の問題を鑑み、質量分析を用いて樹脂中の臭素化難燃剤を定量する際に使用する内部標準物質、内部標準樹脂、及びそれを用いる質量分析方法を提供することにある。
【課題を解決するための手段】
【０００８】
本発明者は上記の条件を満足する内部標準物質を鋭意検討した結果、内部標準物質として好適に用いることのできる物質及びそれを用いた測定方法を見いだし、本発明に想到した。
【０００９】
本発明にかかる内部標準物質、内部標準樹脂、及び質量分析方法は、次のとおりである。
【００１０】
本発明に係わる内部標準物質は、ヒンダートフェノール化合物を有することを特徴とする、検体を加熱して気化する質量分析に用いる内部標準物質であり、さらに好ましくは1,6-ヘキサンジオールビス〔3-(3,5-ジ-t-ブチル-4-ヒドロキシフェニル)プロピオネート〕(CAS#: 35074-77-2)を有する内部標準物質である。
【００１１】
本発明に係わる内部標準樹脂は、検体を加熱して気化する質量分析に用いられる内部標準物質が母材である樹脂に含有されて構成される、前記検体に添加される内部標準樹脂であって、前記内部標準物質がヒンダートフェノール化合物を有することを特徴とする内部標準樹脂であり、さらに好ましくは1,6-ヘキサンジオールビス〔3-(3,5-ジ-t-ブチル-4-ヒドロキシフェニル)プロピオネート〕（CAS#：35074-77-2）である内部標準樹脂である。
【００１２】
本発明に係わる質量分析方法は、検体を加熱して気化する質量分析法であって、検体に添加する内部標準物質としてヒンダートフェノール化合物を使用し、さらに好ましくは1,6-ヘキサンジオールビス〔3-(3,5-ジ-t-ブチル-4-ヒドロキシフェニル)プロピオネート〕(CAS#: 35074-77-2)を使用することを特徴とする質量分析方法である。
【００１３】
ここで、ヒンダートフェノール化合物とは、フェノール化合物の水酸基に対し、そのオルト位置に分岐アルキル基を持つ化合物をいう。但し、水酸基がアルコキシ基であってもよい。
【００１４】
また、1,6-ヘキサンジオールビス〔3-(3,5-ジ-t-ブチル-4-ヒドロキシフェニル)プロピオネート〕(CAS#: 35074-77-2)の化学式はC40H62O6で表され、構造式を以下に示す。
【００１５】
質量数は６３８である。
【００１６】
【化１】
0004582815.tif 000002
【発明の効果】
【００１７】
本発明によれば、検体に添加される内部標準物質として、熱分解することなく、毒性もなく、さらに被測定物質と内部標準物質との質量数が近いヒンダートフェノール化合物を用い、質量分析をすることで正確な定量測定をすることができる。
【発明を実施するための最良の形態】
【００１８】
以下、本発明の実施の形態について図面を用いて詳細に説明する。
【００１９】
本実施形態で説明される構成・形状・大きさおよび位置関係については本発明が理解・実施できる程度に概略化したものに過ぎない。 従って本発明は以下に説明される実施形態に限定されるものではなく、 特許請求の範囲に示される技術的思想の範囲を逸脱しない限り様々な形態に変更することができる。
【００２０】
検体を加熱して気化し、ガス状となった被測定物質を測定する質量分析装置の一例として、直接導入プローブ(DIP) を用いて金属イオンをガス化した被測定物質に付着させる質量分析装置の例を図１に示した。
【００２１】
図１のように、質量分析装置として例えば、フラグメントを生成させることのないイオン付着質量分析装置を使用して、本発明の実施形態に係る質量分析法を説明する。尚、他のフラグメントを生成させることのないイオン化法として、Ｈ3Ｏ+からのＨ+転移によるＰＴＲ（Proton Transfer Reaction）、及び水銀イオンなどからの電荷交換によるＩＭＳ(Ion Molecule Spectrometer)なども利用することができる。
【００２２】
まず、イオン付着質量分析装置の構成を説明する。
図１において、１１はイオン付着室、１３は中間室、１４は質量分析室である。イオン付着室１１には金属イオン放出体（エミッタ）１７が配置され、付着領域１２でイオン付着が行われる。イオン付着室１１は専用の真空排気ポンプ１６で真空状態にされ、エミッタ１７と付着領域１２は同じ真空環境下に置かれる。
【００２３】
金属イオン放出体１７は、例えば正電荷のリチウムイオン（Ｌｉ＋）を付着領域１２に放出する。また付着領域１２に対しては、プローブ１のヒータ３により、検体４を加熱気化させて検体４のガスが供給される。プローブ１は、イオン付着室１１とゲートバルブ９を介して接続されている予備排気室１０より導入される。プローブ１には、検体４の温度を測定する熱電対２も備えられている。
【００２４】
その結果、加熱気化した検体４のガスは矢印１８のように付着領域１２に向かって上昇し、矢印１９のように放出され金属イオンが検体４のガスに付着して、付着イオンが生成される。
【００２５】
図１において、矢印２０は金属イオンと付着イオンの移動の軌跡を示している。なお、プローブ１の導入位置は、イオン付着室１１内で同じ真空環境下が維持されていればよく、図１に示す位置に限定されない。
【００２６】
イオン付着室１１と中間室１３との間には、孔２１ａを有した隔壁２１が設けられている。隔壁２１の孔２１ａを通して金属イオンと付着イオンが移動する。中間室１３には、図示しない定電圧機構によって静電位が印加されているレンズ２２が与えられている。このレンズ２２によって静電レンズ作用が生じる。
【００２７】
中間室１３と質量分析室１４の間には、孔２４ａを有した隔壁２４が設けられている。隔壁２４の孔２４ａを通して付着イオンが質量分析室１４に輸送される。質量分析室１４の内部には、例えばＱポール型（四重極型）等の質量分析計２５が設けられ、かつ共用の真空排気ポンプ２６が付設されている。質量分析計２５の図中右側には付着イオンを受ける二次電子増倍管２７が配置されている。
【００２８】
イオン付着室１１、中間室１３、質量分析室１４は、真空排気ポンプ１６、２６による真空排気で、大気圧以下の減圧雰囲気となっている。イオン付着室１１でアルカリ金属の酸化物である金属イオン放出体１７は加熱され、Ｌｉ＋などの正電荷の金属イオンを発生する。 金属イオン放出体１７は、図示しない電源によって所要の電圧が印加されて電流が供給され、加熱される。この加熱によって金属イオン放出体１７から金属イオンが放出される。放出された金属イオンは電界等によってイオン付着室１１内部の付着領域１２に輸送される。
【００２９】
検体４に添加される内部標準物質は、1,6-ヘキサンジオールビス〔3-(3,5-ジ-t-ブチル-4-ヒドロキシフェニル)プロピオネート〕(CAS#: 35074-77-2)が用いられる。ここで、検体が樹脂の場合、測定精度を高めるため内部標準物質を母材と呼ばれる樹脂に混ぜ込んで内部標準樹脂とすることが望ましい。つまり、内部標準物質は、樹脂である被測定物質と同様に、母材と呼ばれるその熱伝導性が被測定物質と近い樹脂に混ぜ込まれて内部標準樹脂とされることが望ましい。さらに、このとき内部標準物質を粉末にすることで母材への分散は良好になる。
【００３０】
また、母材に対する本発明に係る内部標準物質の含有率は、重量比で０．１〜５％であることが好ましい。０．1％未満であると感度が十分でなくなり、５％を超えると感度が高過ぎるからである。母材としては、例えば、ポリスチレンを用いることができる。
【００３１】
なお、検体に対する内部標準樹脂の質量比は、１０〜７５％であることが望ましい。１０％未満では秤量が困難になるからであり、７５％を超えると感度が高過ぎるからである。
【００３２】
さらに、検体を質量分析装置に導入して加熱して気化する方法は、図1のように直接導入プローブ法（ＤＩＰ）を用いたが、直接曝露プローブ法（ＤＥＰ）を用いることもできる。
【００３３】
直接導入プローブ法は、固体または液体の被測定物質をカップの中に入れて真空のイオン付着室内に導入し、その場でヒータや赤外線などで加熱して気化させる方法であり、
一方、 直接曝露プローブ法は、固体または液体の被測定物質をフィラメントに塗布し真空のイオン付着室内に挿入し、その場でフィラメントに通電して被測定物質を加熱して気化させる方法である。
【００３４】
また、本実施形態に係わる内部標準物質を添加して定量分析可能な検体中の被測定物質は、樹脂に含まれる臭素化難燃剤を挙げることができる。臭素化難燃剤としては、例えば、デカブロモジフェニルエーテル (DeBDE, CAS#:1163-19-5) 、デカブロモビフェニル (DeBB, CAS#: 13654-09-6) を挙げることができる。
【００３５】
なお、内部標準物質は、既に説明したように、検体を加熱して気化させる場合、それに添加する内部標準物質が熱分解しないこと、毒性がないこと、内部標準物質と被測定物質との質量数が近いこと等が求められる。
【００３６】
内部標準物質としては、ヒンダートフェノール化合物が用いられる。ヒンダートフェノール化合物は、フェノール化合物の水酸基に対し、そのオルト位置に分岐アルキル基を持つ化合物をいう。但し、水酸基がアルコキシ基であってもよい。ヒンダートフェノール化合物の中でも、1,6-ヘキサンジオールビス〔3-(3,5-ジ-t-ブチル-4-ヒドロキシフェニル)プロピオネート〕(CAS#: 35074-77-2)が好適に用いられる。
【００３７】
内部標準物質としての1,6-ヘキサンジオールビス〔3-(3,5-ジ-t-ブチル-4-ヒドロキシフェニル)プロピオネート〕(CAS#: 35074-77-2)は、後述の測定方法に説明があるとおり、気化に必要な３００℃で分解することがなく、市販されている化学物質として毒性のないことが確認されている。また、臭素化難燃剤のデカブロモジフェニルエーテル (DeBDE, CAS#:1163-19-5) 、デカブロモビフェニル (DeBB, CAS#: 13654-09-6) の質量数は、それぞれ
９５９Ｄａ、９４３Ｄａであり内部標準物質の質量数との関係も適している。
【００３８】
従って、気化温度が内部標準物質と近く、内部標準物質と被測定物質との質量数が近い等の上記の条件を満たせば、他の検体材料の内部標準物質として、本実施形態の内部標準物質を用いることができる。
【００３９】
次に、図１に図示した質量分析装置を用いて、本実施形態に係る内部標準物質で例えば被測定物質としてデカブロモジフェニルエーテル (DeBDE, CAS#:1163-19-5)を定量分析する質量分析方法を説明する。
【００４０】
内部標準物質である1,6-ヘキサンジオールビス〔3-(3,5-ジ-t-ブチル-4-ヒドロキシフェニル)プロピオネート〕(CAS#: 35074-77-2)を母材であるポリスチレンに1%含む内部標準樹脂を0.21ｍｇ秤量した。続いて被測定物質であるデカブロモジフェニルエーテル (DeBDE, CAS#: 1163-19-5) が含有されている検体を1.10ｍｇ秤量した。
【００４１】
内部標準樹脂と被測定物質をともに検体４としてプローブ１に充填し、イオン付着室１１を所定の真空度にしてプローブ1をイオン付着室１１に導入した。このとき、中間室１３及び質量分析室１４の真空度等、測定が可能な状態にある。
【００４２】
次に金属イオン放出体１７を加熱した状態で、検体４を設定した時間に従って300℃まで加熱し気化させた。
【００４３】
この構成で得られたデータを図２に示す。
【００４４】
最上段のグラフは、常に一定導入されているオクタフルオロペンタノール (OFPO) の検出量である。通常、測定中の感度変動を確認するためこのような内部標準物質による補正が行われるが後述のように充分ではないことが明らかになっている。
【００４５】
図２の中段は、内部標準物質1,6-ヘキサンジオールビス〔3-(3,5-ジ-t-ブチル-4-ヒドロキシフェニル)プロピオネート〕(CAS#: 35074-77-2)の検出値、下段は被測定物質であるデカブロモジフェニルエーテル (DeBDE, CAS#:1163-19-5) の検出値である。
【００４６】
このように、1,6-ヘキサンジオールビス〔3-(3,5-ジ-t-ブチル-4-ヒドロキシフェニル)プロピオネート〕(CAS#: 35074-77-2)の面積値は、92833294であり、デカブロモジフェニルエーテル (DeBDE, CAS#: 1163-19-5) の面積値は5777349であった。
【００４７】
この比率をあらかじめ作成した検量線にあてはめた結果、被測定物質であるデカブロモジフェニルエーテル(DeBDE, CAS#: 1163-19-5)は0.67μgであり、被分析対象である被測定物質（DeBDE）を含んだ樹脂中の濃度は610ppmと定量された。
【００４８】
次に三条件の場合、即ち、内部標準物質として1,6-ヘキサンジオールビス〔3-(3,5-ジ-t-ブチル-4-ヒドロキシフェニル)プロピオネート〕(CAS#: 35074-77-2)を使った場合、OFPOを用いた場合、及び、内部標準物質を全く用いない場合とに分けて、上記と同じ測定を5回繰り返して行い、その繰り返し精度（相対標準偏差）を確認した。
【００４９】
その結果、内部標準物質として1,6-ヘキサンジオールビス〔3-(3,5-ジ-t-ブチル-4-ヒドロキシフェニル)プロピオネート〕(CAS#: 35074-77-2)を使った場合の相対標準偏差は4.3%であり、OFPOを用いた場合は13.4%、そして、内部標準物質を全く用いない場合は10.8%であり、測定精度が向上して大きな改善効果が認められた。
【００５０】
同じ臭素化難燃剤であるデカブロモビフェニル (DeBB, CAS#: 13654-09-6)についても同様な改善効果が認められた。
【産業上の利用可能性】
【００５１】
本発明は、臭素化難燃剤及び同様な気化温度、質量数を有する被測定物質の定量分析に用いることができる。
【図面の簡単な説明】
【００５２】
【図１】本発明に係る検体を質量分析したイオン付着質量分析装置の構造図である。
【図２】本発明に係る検体を用いて得られた測定結果を示す特性図である。
【符号の説明】
【００５３】
１  プローブ
２  熱電対
３  ヒータ
４  検体
９  ゲートバルブ
１０  予備排気室
１１  イオン付着室
１２  付着領域
１３  中間室
１４  質量分析室
１６  真空排気ポンプ
１７  金属イオン放出体（エミッタ）
２１  隔壁
２１ａ  孔
２２  レンズ
２４  隔壁
２４ａ  孔
２５  質量分析計
２６  真空排気ポンプ
【図１】
0004582815.tif 000003
【図２】
0004582815.tif 000004